(57)【要約】【課題】  移動電話ネットワークを他の電話ネットワークと結ぶための方法、システム、およびコンピュータプログラムを提供すること。【解決手段】  電話ネットワークは、電話およびゲートウェイに接続された個々にアドレス可能な複数の電話回線を備える。ゲートウェイは、１つまたは複数の移動電話に、および潜在的に１つまたは複数の通信回線に接続される。ゲートウェイが移動電話の１つから入呼を受けたとき、または電話の１つから発呼を受けたとき、ゲートウェイは、経路指定規則を適用し、呼をどのように経路指定するか判定する。経路指定は、時間、コスト、入呼を受ける移動電話など、さまざまな要因に左右される依存することができる。移動電話を入呼の発信源として識別する助けとするために、独特の呼出しを選択することができる。移動電話ネットワークと電話ネットワークの差違を補償するために、ゲートウェイは、２つのネットワーク間で信号を変換する。【選択図】  図１
2004248283.tif 000002
【特許請求の範囲】
【請求項１】
個々にアドレス可能な複数の電話回線と、前記個々にアドレス可能な電話回線の少なくとも１つに接続された少なくとも１つの電話とを備えた電話ネットワークのためのゲートウェイにおいて、前記ゲートウェイに接続された１つまたは複数の移動電話に入ってくる１つまたは複数の呼を前記個々にアドレス可能な電話回線のいずれかに経路指定し、前記個々にアドレス可能な電話回線のいずれかを使用し、前記１つまたは複数の移動電話に入ってくる前記１つまたは複数の呼を受けることができる方法であって、
前記ゲートウェイに接続された移動電話からの入呼を受ける前記ゲートウェイの動作と、
前記入呼を経路指定すべき前記個々にアドレス可能な電話回線の１つまたは複数を識別するために、前記入呼に１つまたは複数の経路指定規則を適用する前記ゲートウェイの動作と、
前記入呼を、前記経路指定規則によって識別された前記個々にアドレス可能な電話回線の前記１つまたは複数に接続する動作と
を含むことを特徴とする方法。
【請求項２】
前記移動電話を前記入呼の発信源として識別するために、１つまたは複数の使用可能な呼出しオプションのうち１つを選択する前記ゲートウェイの動作をさらに含むことを特徴とする請求項１に記載の方法。
【請求項３】
複数の移動電話が前記ゲートウェイに接続され、前記１つまたは複数の経路指定規則の少なくとも１つは、特定の移動電話に特有な構成要素を含むことを特徴とする請求項１に記載の方法。
【請求項４】
前記１つまたは複数の経路指定規則の少なくとも１つは、入呼を経路指定するために時間要素を含むことを特徴とする請求項１に記載の方法。
【請求項５】
前記時間要素を含む前記少なくとも１つの経路指定規則は、留守番電話に接続された前記個々にアドレス可能な電話回線に前記入呼を経路指定することを特徴とする請求項４に記載の方法。
【請求項６】
前記経路指定規則によって識別された前記個々にアドレス可能な電話回線の前記１つまたは複数に接続された電話は、単一回線アナログ電話、多回線アナログ電話、ＩＳＤＮ電話、デジタル電話、またはインターネットプロトコル電話を含むことを特徴とする請求項１に記載の方法。
【請求項７】
前記移動電話に対応する移動電話ネットワークと相互作用するための１つまたは複数の信号は、前記個々にアドレス可能な電話回線の少なくとも１つに接続された電話を介して前記電話ネットワークと相互作用するための１つまたは複数の信号と異なっており、前記方法は、前記１つまたは複数の移動電話ネットワーク信号と前記１つまたは複数の電話ネットワーク信号の間で変換を行う前記ゲートウェイの動作をさらに含むことを特徴とする請求項１に記載の方法。
【請求項８】
前記１つまたは複数の電話ネットワーク信号は、呼び出し信号を含むことを特徴とする請求項７に記載の方法。
【請求項９】
前記１つまたは複数の移動電話ネットワーク信号は、（ｉ）コールウェイティング信号、（ｉｉ）途中放棄呼信号、（ｉｉｉ）保留信号、（ｉｖ）メッセージ通知信号、（ｖ）発呼者ＩＤ信号、（ｖｉ）割込発呼者ＩＤ信号、（ｖｉｉ）直接転送信号、（ｖｉｉｉ）応答後転送信号、（ｉｘ）電話会議信号、および、（ｘ）無応答時転送信号の少なくとも１つを含むことを特徴とする請求項７に記載の方法。
【請求項１０】
コンピュータが前記ゲートウェイに接続され、前記方法はさらに、前記ゲートウェイのための設定情報を前記コンピュータから受け取る動作を含むことを特徴とする請求項１に記載の方法。
【請求項１１】
個々にアドレス可能な複数の電話回線と、前記個々にアドレス可能な電話回線の少なくとも１つに接続された少なくとも１つの電話とを備えた電話ネットワークのためのゲートウェイにおいて、前記少なくとも１つの電話から、前記ゲートウェイに接続された１つもしくは複数の通信回線のいずれかに、または１つもしくは複数の移動電話のいずれかに出て行く１つまたは複数の呼を経路指定し、前記１つまたは複数の移動電話および１つまたは複数の通信回線のいずれかを、前記少なくとも１つの電話から出て行く前記１つまたは複数の呼のために使用することができる方法であって、
前記少なくとも１つの個々にアドレス可能な電話回線の１つを介して、前記ゲートウェイに接続された電話から発呼を受けるゲートウェイの動作と、
前記発呼を経路指定すべき前記１つまたは複数の移動電話および１つまたは複数の通信回線の１つを選択するために、前記発呼に１つまたは複数の経路指定規則を適用する前記ゲートウェイの動作と、
前記発呼を、前記１つまたは複数の移動電話および１つまたは複数の通信回線の前記選択された１つに接続する動作と
を含むことを特徴とする方法。
【請求項１２】
前記１つまたは複数の経路指定規則の少なくとも１つは、発呼を経路指定するために時間要素を含むことを特徴とする請求項１１に記載の方法。
【請求項１３】
前記１つまたは複数の経路指定規則の少なくとも１つは、発呼を経路指定するためにコスト構成要素を含むことを特徴とする請求項１１に記載の方法。
【請求項１４】
前記ゲートウェイに接続された前記電話は、単一回線アナログ電話、多回線アナログ電話、ＩＳＤＮ電話、デジタル電話、またはインターネットプロトコル電話を含むことを特徴とする請求項１１に記載の方法。
【請求項１５】
前記ゲートウェイに接続された移動電話に対応する移動電話ネットワークと相互作用するための１つまたは複数の信号は、前記ゲートウェイに接続された前記電話を介して前記電話ネットワークと相互作用するための１つまたは複数の信号と異なっており、前記方法は、前記１つまたは複数の移動電話ネットワーク信号と前記１つまたは複数の電話ネットワーク信号の間で変換を行う前記ゲートウェイの動作をさらに含むことを特徴とする請求項１１に記載の方法。
【請求項１６】
前記１つまたは複数の電話ネットワーク信号は、（ｉ）ダイヤルトーン信号、（ｉｉ）受信されたメッセージを示すためのスタッタードダイヤルトーン信号、（ｉｉｉ）直接転送信号、（ｉｖ）応答後転送信号、（ｖ）電話会議信号、および、（ｖｉ）無応答時転送信号の少なくとも１つを含むことを特徴とする請求項１５に記載の方法。
【請求項１７】
前記１つまたは複数の移動電話ネットワーク信号は、（ｉ）コールウェイティング信号、（ｉｉ）途中放棄呼信号、（ｉｉｉ）保留信号、（ｉｖ）メッセージ通知信号、（ｖ）発呼者ＩＤ信号、（ｖｉ）割込発呼者ＩＤ信号、（ｖｉｉ）直接転送信号、（ｖｉｉｉ）応答後転送信号、（ｉｘ）電話会議信号、および、（ｘ）無応答時転送信号の少なくとも１つを含むことを特徴とする請求項１５に記載の方法。
【請求項１８】
前記ゲートウェイの動作を制御する１つまたは複数の他の規則を適用する動作をさらに含むことを特徴とする請求項１１に記載の方法。
【請求項１９】
個々にアドレス可能な複数の電話回線と、前記個々にアドレス可能な電話回線の少なくとも１つに接続された少なくとも１つの電話とを備える電話ネットワークのためのゲートウェイにおいて、前記ゲートウェイに接続された１つまたは複数の移動電話に入ってくる１つまたは複数の呼を前記個々にアドレス可能な電話回線のいずれかに経路指定し、前記個々にアドレス可能な電話回線のいずれかを使用し、前記１つまたは複数の移動電話に入ってくる前記１つまたは複数の呼を受けることができる方法であって、
前記ゲートウェイで受け取られた前記ゲートウェイに接続された移動電話からの入呼について、前記入呼を１つまたは複数の電話に経路指定するために、前記ゲートウェイに接続された前記個々にアドレス可能な電話回線の１つまたは複数のどれを使用すべきか判定するステップと、
前記移動電話を前記入呼の発信源として識別する助けとするために、１つまたは複数の使用可能な呼出しオプションのどれを使用すべきか判定するステップと、
前記入呼を前記１つまたは複数の電話に経路指定するために使用すべきであると前記ゲートウェイが決定した前記個々にアドレス可能な電話回線の前記１つまたは複数に前記入呼を経路指定するステップとを含むことを特徴とする方法。
【請求項２０】
複数の移動電話が前記ゲートウェイに接続されており、前記入呼を経路指定するために、前記個々にアドレス可能な電話回線の前記１つまたは複数のどれを使用すべきか判定するステップは、どの移動電話が前記入呼の発信源であるかに依存することを特徴とする請求項１９に記載の方法。
【請求項２１】
前記１つまたは複数の経路指定規則の少なくとも１つは、特定の移動電話に特有な構成要素を含むことを特徴とする請求項２０に記載の方法。
【請求項２２】
前記１つまたは複数の経路指定規則の少なくとも１つは、留守番電話に前記入呼を経路指定する時間要素を含むことを特徴とする請求項１９に記載の方法。
【請求項２３】
前記移動電話に対応する移動電話ネットワークと相互作用するための１つまたは複数の信号は、前記個々にアドレス可能な電話回線の少なくとも１つに接続された電話を介して前記電話ネットワークと相互作用するための１つまたは複数の信号と異なっており、前記方法は、前記ゲートウェイが前記１つまたは複数の移動電話ネットワーク信号を１つまたは複数の対応する電話ネットワーク信号にマッピングし、および、前記１つまたは複数の電話ネットワーク信号を１つまたは複数の対応する移動電話ネットワーク信号にマッピングするステップをさらに含むことを特徴とする請求項１９に記載の方法。
【請求項２４】
前記１つまたは複数の電話ネットワーク信号および前記１つまたは複数の移動電話ネットワーク信号は、（ｉ）コールウェイティング信号、（ｉｉ）途中放棄呼信号、（ｉｉｉ）保留信号、（ｉｖ）メッセージ通知信号、（ｖ）発呼者ＩＤ信号、（ｖｉ）割込発呼者ＩＤ信号、（ｖｉｉ）直接転送信号、（ｖｉｉｉ）応答後転送信号、（ｉｘ）電話会議信号、（ｘ）無応答時転送信号、（ｘｉ）呼び出し信号、（ｘｉｉ）ダイヤルトーン信号、および、（ｘｉｉｉ）受信されたメッセージを示すための信号の少なくとも１つを含むことを特徴とする請求項２３に記載の方法。
【請求項２５】
個々にアドレス可能な複数の電話回線と、前記個々にアドレス可能な電話回線の少なくとも１つに接続された少なくとも１つの電話とを備える電話ネットワークのためのゲートウェイにおいて、前記少なくとも１つの電話から、前記ゲートウェイに接続された１つもしくは複数の通信回線のいずれかに、または１つもしくは複数の移動電話のいずれかに出て行く１つまたは複数の呼を経路指定し、前記１つまたは複数の移動電話および１つまたは複数の通信回線のいずれかを、前記少なくとも１つの電話から出て行く前記１つまたは複数の呼のために使用することができる方法であって、
前記ゲートウェイで受け取られた、前記個々にアドレス可能な電話回線の１つを介して、前記ゲートウェイに接続された電話からの発呼について、前記発呼を搬送するために、前記ゲートウェイに接続された前記１つまたは複数の移動電話および１つまたは複数の通信回線のどれを選択すべきか判定するステップと、
前記発呼を搬送するために選択された前記１つまたは複数の移動電話および１つまたは複数の通信回線の前記１つに、前記発呼を経路指定するステップと
を含むことを特徴とする方法。
【請求項２６】
１つまたは複数の移動電話が前記ゲートウェイに接続されており、前記ゲートウェイに記憶された１つまたは複数の経路指定規則は、前記発呼について特定の移動電話を選択することを特徴とする請求項２５に記載の方法。
【請求項２７】
前記特定の移動電話が、前記発呼について、少なくとも一部には、前記発呼が開始されたとき使用中である少なくとも１つの移動電話または少なくとも１つの通信回線に基づいて選択されることを特徴とする請求項２６に記載の方法。
【請求項２８】
前記発呼を搬送するために、前記１つまたは複数の移動電話および１つまたは複数の通信回線のどれが選択されるかは、前記発呼を開始するために前記個々にアドレス可能な電話回線のどれが使用されるかに依存することを特徴とする請求項２５に記載の方法。
【請求項２９】
前記移動電話に対応する移動電話ネットワークと相互作用するための１つまたは複数の信号は、前記個々にアドレス可能な電話回線の少なくとも１つに接続された電話を介して前記電話ネットワークと相互作用するための１つまたは複数の信号と異なっており、前記方法は、前記１つまたは複数の移動電話ネットワーク信号を１つまたは複数の対応する電話ネットワーク信号にマッピングし、および、前記１つまたは複数の電話ネットワーク信号を１つまたは複数の対応する移動電話ネットワーク信号にマッピングする前記ゲートウェイのためのステップをさらに含むことを特徴とする請求項２５に記載の方法。
【請求項３０】
前記１つまたは複数の電話ネットワーク信号および前記１つまたは複数の移動電話ネットワーク信号は、（ｉ）コールウェイティング信号、（ｉｉ）途中放棄呼信号、（ｉｉｉ）保留信号、（ｉｖ）メッセージ通知信号、（ｖ）発呼者ＩＤ信号、（ｖｉ）割込発呼者ＩＤ信号、（ｖｉｉ）直接転送信号、（ｖｉｉｉ）応答後転送信号、および、（ｉｘ）受信されたメッセージを示すための信号の少なくとも１つを含むことを特徴とする請求項２９に記載の方法。
【請求項３１】
１つまたは複数の移動電話をサポートする１つまたは複数の移動電話ネットワークと、個々にアドレス可能な複数の電話回線、および前記個々にアドレス可能な電話回線の少なくとも１つに接続された少なくとも１つの電話を備えた電話ネットワークとを中継するためのゲートウェイであって、
前記ゲートウェイが前記１つまたは複数の移動電話を使用して呼を受け、経路指定することができるように、前記１つまたは複数の移動電話を前記ゲートウェイに接続する１つまたは複数の移動電話コネクタと、
前記ゲートウェイが前記個々にアドレス可能な複数の電話回線を介して呼を受け、経路指定することができるように、前記個々にアドレス可能な複数の電話回線および前記少なくとも１つの電話を前記ゲートウェイに接続する１つまたは複数の電話回線コネクタと、
前記ゲートウェイを介して受け取られた、また発呼された呼を経路指定するために、前記１つまたは複数の移動電話、および前記個々にアドレス可能な複数の電話回線の中から選択を行う１つまたは複数の経路指定規則を含む１つまたは複数の記憶媒体と、
前記経路指定規則を実行し、前記実行された経路指定規則に従って、前記ゲートウェイを介して受け取られた、また発呼された呼を経路指定するプロセッサと
を備えることを特徴とするゲートウェイ。
【請求項３２】
１つまたは複数の通信回線を前記ゲートウェイに接続する１つまたは複数の通信回線コネクタをさらに備えることを特徴とする請求項３１に記載のゲートウェイ。
【請求項３３】
前記１つまたは複数の移動電話コネクタは、１つまたは複数の無線コネクタを含むことを特徴とする請求項３１に記載のゲートウェイ。
【請求項３４】
前記１つまたは複数の通信回線コネクタは、１つまたは複数の無線コネクタを含むことを特徴とする請求項３１に記載のゲートウェイ。
【請求項３５】
前記１つまたは複数の移動電話を充電するための１つまたは複数の充電クレードルをさらに備えることを特徴とする請求項３１に記載のゲートウェイ。
【請求項３６】
前記１つまたは複数の記憶媒体はある種のデータを記憶し、前記ある種のデータのバージョンは、前記ゲートウェイに接続された少なくとも１つの移動電話にも記憶され、および前記１つまたは複数の記憶媒体は、前記プロセッサによって実行されたとき、前記ある種のデータを、前記ゲートウェイに接続された前記少なくとも１つの移動電話に記憶された前記バージョンと同期させる命令をも含むことを特徴とする請求項３１に記載のゲートウェイ。
【請求項３７】
前記ゲートウェイを１つまたは複数のコンピュータに接続する１つまたは複数のコンピュータネットワークコネクタをさらに備えることを特徴とする請求項３１に記載のゲートウェイ。
【請求項３８】
前記１つまたは複数の移動電話ネットワークと相互作用するための１つまたは複数の信号は、前記電話ネットワークと相互作用するための１つまたは複数の信号と異なり、前記１つまたは複数の記憶媒体は、前記プロセッサによって実行されると、前記１つまたは複数の移動電話ネットワーク信号を１つまたは複数の対応する電話ネットワーク信号にマッピングし、および前記１つまたは複数の電話ネットワーク信号を１つまたは複数の対応する移動電話ネットワーク信号にマッピングする命令を含むことを特徴とする請求項３１に記載のゲートウェイ。
【請求項３９】
前記１つまたは複数の通信回線コネクタのそれぞれは、（ｉ）単一アナログ電話回線、（ｉｉ）多重アナログ電話回線、（ｉｉｉ）ＩＳＤＮ電話回線、（ｉｖ）デジタル電話回線、（ｖ）無線電話回線、および（ｖｉ）インターネットプロトコル電話回線の少なくとも１つをサポートすることを特徴とする請求項３１に記載のゲートウェイ。
【請求項４０】
個々にアドレス可能な複数の電話回線と、前記個々にアドレス可能な電話回線の少なくとも１つに接続された少なくとも１つの電話とを備えた電話ネットワークに接続されたゲートウェイ用として、前記ゲートウェイに接続された１つまたは複数の移動電話に入ってくる１つまたは複数の呼を前記個々にアドレス可能な電話回線のいずれかに経路指定し、前記個々にアドレス可能な電話回線のいずれかを使用し、前記１つまたは複数の移動電話に入ってくる前記１つまたは複数の呼を受けることができる方法を実施するコンピュータ実行可能命令を含むコンピュータプログラムであって、前記方法は、
前記ゲートウェイに接続された移動電話からの入呼を受ける前記ゲートウェイの動作と、
前記入呼を経路指定すべき前記個々にアドレス可能な電話回線の１つまたは複数を識別するために、前記入呼に１つまたは複数の経路指定規則を適用する前記ゲートウェイの動作と、
前記入呼を、前記経路指定規則によって識別された前記個々にアドレス可能な電話回線の前記１つまたは複数に接続する動作と
を含むことを特徴とするコンピュータプログラム。
【請求項４１】
前記方法は、前記移動電話を前記入呼の発信源として識別するために、１つまたは複数の使用可能な呼出しオプションのうち１つを選択する前記ゲートウェイの動作をさらに含むことを特徴とする請求項４０に記載のコンピュータプログラム。
【請求項４２】
複数の移動電話が前記ゲートウェイに接続され、前記１つまたは複数の経路指定規則の少なくとも１つは、特定の移動電話に特有な構成要素を含むことを特徴とする請求項４０に記載のコンピュータプログラム。
【請求項４３】
前記１つまたは複数の経路指定規則の少なくとも１つは、入呼を経路指定するために時間要素を含むことを特徴とする請求項４０に記載のコンピュータプログラム。
【請求項４４】
前記時間要素を含む前記少なくとも１つの経路指定規則は、留守番電話に接続された前記個々にアドレス可能な電話回線に前記入呼を経路指定することを特徴とする請求項４３に記載のコンピュータプログラム。
【請求項４５】
前記経路指定規則によって識別された前記個々にアドレス可能な電話回線の前記１つまたは複数に接続された電話は、単一回線アナログ電話、多回線アナログ電話、ＩＳＤＮ電話、無線電話、デジタル電話、またはインターネットプロトコル電話を含むことを特徴とする請求項４０に記載のコンピュータプログラム。
【請求項４６】
前記移動電話に対応する移動電話ネットワークと相互作用するための１つまたは複数の信号は、前記個々にアドレス可能な電話回線の少なくとも１つに接続された電話を介して前記電話ネットワークと相互作用するための１つまたは複数の信号と異なっており、前記方法は、前記１つまたは複数の移動電話ネットワーク信号と前記１つまたは複数の電話ネットワーク信号の間で変換を行う前記ゲートウェイの動作をさらに含むことを特徴とする請求項４０に記載のコンピュータプログラム。
【請求項４７】
前記方法は、前記ゲートウェイの動作を規定する１つまたは複数の他の規則を適用する動作をさらに含むことを特徴とする請求項４０に記載のコンピュータプログラム。
【請求項４８】
個々にアドレス可能な複数の電話回線と、前記個々にアドレス可能な電話回線の少なくとも１つに接続された少なくとも１つの電話とを備えた電話ネットワークに接続されたゲートウェイ用として、前記少なくとも１つの電話から、前記ゲートウェイに接続された１つまたは複数の通信回線のいずれかに、もしくは１つまたは複数の移動電話のいずれかに出て行く１つまたは複数の呼を経路指定し、前記１つまたは複数の移動電話および１つまたは複数の通信回線のいずれかを、前記少なくとも１つの電話から出て行く前記１つまたは複数の呼のために使用することができる方法を実施するコンピュータ実行可能命令を含むコンピュータプログラムであって、前記方法は、
前記少なくとも１つの個々にアドレス可能な電話回線の１つを介して、前記ゲートウェイに接続された電話から発呼を受けるゲートウェイの動作と、
前記発呼を経路指定すべき前記１つまたは複数の移動電話および１つまたは複数の通信回線の１つを選択するために、前記発呼に１つまたは複数の経路指定規則を適用する前記ゲートウェイの動作と、
前記発呼を、前記１つまたは複数の移動電話および１つまたは複数の通信回線の前記選択された１つに接続する動作と
を含むことを特徴とするコンピュータプログラム。
【請求項４９】
前記１つまたは複数の経路指定規則の少なくとも１つは、発呼を経路指定するために時間要素を含むことを特徴とする請求項４８に記載のコンピュータプログラム。
【請求項５０】
前記１つまたは複数の経路指定規則の少なくとも１つは、発呼を経路指定するためにコスト構成要素を含むことを特徴とする請求項４８に記載のコンピュータプログラム。
【請求項５１】
前記ゲートウェイに接続された移動電話に対応する移動電話ネットワークと相互作用するための１つまたは複数の信号は、前記ゲートウェイに接続された前記電話を介して前記電話ネットワークと相互作用するための１つまたは複数の信号と異なっており、前記方法は、前記１つまたは複数の移動電話ネットワーク信号と前記１つまたは複数の電話ネットワーク信号の間で変換を行う前記ゲートウェイの動作をさらに含むことを特徴とする請求項４８に記載のコンピュータプログラム。
【請求項５２】
前記１つまたは複数の電話ネットワーク信号および前記１つまたは複数の移動電話ネットワーク信号は、（ｉ）コールウェイティング信号、（ｉｉ）途中放棄呼信号、（ｉｉｉ）保留信号、（ｉｖ）メッセージ通知信号、（ｖ）発呼者ＩＤ信号、（ｖｉ）割込発呼者ＩＤ信号、（ｖｉｉ）直接転送信号、（ｖｉｉｉ）応答後転送信号、（ｉｘ）電話会議信号、（ｘ）無応答時転送信号、（ｘｉ）呼び出し信号、（ｘｉｉ）ダイヤルトーン信号、および、（ｘｉｉｉ）受信されたメッセージを示すための信号の少なくとも１つを含むことを特徴とする請求項５１に記載のコンピュータプログラム。
【請求項５３】
コンピュータが前記ゲートウェイに接続され、前記方法は、前記ゲートウェイの設定情報を前記コンピュータから受け取る動作をさらに含むことを特徴とする請求項４８に記載のコンピュータプログラム。
【発明の詳細な説明】
【技術分野】
【０００１】
本発明は、移動電話ネットワークに関する。より詳細には、本発明は、移動電話ネットワークを他の電話ネットワークと結ぶための方法、システム、およびコンピュータプログラムに関する。
【背景技術】
【０００２】
セルラ電話は、ますます普及しつつある。初期には、サイズ、コスト、地理的な使用可能範囲により、大抵のセルラ電話使用がビジネスに限定されていた。初期のセルラ電話は、その大きさと不便さのために、たびたび「煉瓦（ｂｒｉｃｋ）」と呼ばれた。担当責任を有する専門家や専門技術者が典型的なセルラ電話ユーザであった。多くの状況では、数字およびテキストのページャが初期のセルラ電話に対する経済的かつ好都合な代替を提供した。
【０００３】
今日のセルラ電話は、ユーザのポケットに収まるほど十分にコンパクトであり、従来型電話と同じような購入価格および月々のサービス料金を有し、ローカル、地方、全国の使用可能範囲を提供している。単一世帯が、しばしば複数のセルラ電話を有することになる。セルラ電話が普及するにつれて、一部の人は、別個の家庭用電話または事務所用電話が必要ないかもしれないと気付き始めている。今後５年間にわたって、家庭内の通信回線の最大３０％が切断されることになり、ユーザがセルラ電話サービスだけに依存することになると推定されている。
【０００４】
消費者は、家庭または事務所の通信回線から専ら（または主に）セルラの使用に移行し始めたとき、何らかの利便性を失う可能性がある。たとえば、セルラ電話は、一度に１カ所に位置することができるだけである。具体的には、ユーザは、翌日の使用に備えて、しばしば夜間にセルラ電話を充電する。したがって、ユーザは一般に、夜自宅にいる間、セルラ電話を持ち歩かず、または持ち歩くことができない。当然ながら、ユーザが、起きている間セルラ電話を持ち歩こうと決めた場合でも、ユーザが別の部屋に移動したとき、ある部屋にうかつにも電話が残され、セルラ電話が鳴ったとき、それを突き止めるのが困難になる可能性がある。複数のユーザがセルラ電話を共用している場合には、これらの難点がより顕著になる可能性がある。
【０００５】
前述の問題に加えて、セルラ電話の放射に関して認められている健康上の懸念を含む、他の顧客満足問題もまた発生する可能性がある。この健康上の懸念は、長時間にわたりさらされた場合に特に明らかとなる可能性がある。当然ながら、通話および待機時間にとって限られたバッテリ寿命もまた、セルラ電話使用の増大に対して障害をもたらすことになる。さらに、緊急特番の利益は、通常、通信回線に結び付けられている発揮される。一方、通信回線のコストを削減すること、および単一電話番号の利便性は、魅力的である。
【０００６】
セルラ電話使用の増大に伴ういくつかの欠点に対処するための努力において、本質的に電話ジャックを有するセルラ電話充電器である製品が提案されている。充電器のジャックにコードレスまたは他の電話を取り付けることにより、従来型電話を使用し、セルラ電話を介して発呼、または着呼することができる。これらの単純な製品は、いくらかの利益をもたらすが、消費者が有用であると感じる多数の機能を欠いている。たとえば、消費者は、着信呼を家庭または事務所内の特定の電話に経路指定したいと望む可能性がある。この機能は、複数のセルラ電話が使用可能である場合に特に価値がある可能性がある。
【０００７】
同様に、消費者はまた、発信呼を取り巻く状況に応じて、複数のセルラ電話のいずれかに、あるいは、セルラ電話または通信回線のどちらかに発信呼を自動的に経路指定したいと望む可能性がある。他の利便性として、消費者は、着信呼および発信呼のための呼経路指定を１日の間で変えたいと望む可能性がある。さまざまな電話タイプをサポートすることは、ビジネス、あるいは比較的洗練された家庭用設備におけるある種の必要に対処する助けとなる可能性がある。さらに、未発達の充電器製品は、大抵のセルラネットワークで使用可能な豊富な通話機能セットを公開することができない。少なくとも一部にはこれらの製品の単純さのために、これらの製品は、パーソナルコンピュータからなど、設定情報を受け取るための便宜を提供しない。
【発明の開示】
【発明が解決しようとする課題】
【０００８】
したがって、移動電話ネットワークを他の電話ネットワークと結ぶための方法、システム、およびコンピュータプログラムが望まれている。
【課題を解決するための手段】
【０００９】
この概要は、本発明を手短に概観するように意図されているにすぎず、特許請求の範囲によって定義されるその範囲を限定するものと解釈すべきでないことを理解されたい。本発明は、移動電話ネットワークを他の電話ネットワークと結ぶための方法、システム、およびコンピュータプログラムに及ぶ。たとえば、電話ネットワークは、１つまたは複数の電話に接続された、個々にアドレス可能な複数の電話回線を備えることができる。個々にアドレス可能な電話回線はゲートウェイに接続され、ゲートウェイは、１つまたは複数の移動電話に接続される。ゲートウェイはまた、１つまたは複数の通信回線に接続することができる。
【００１０】
ゲートウェイが移動電話の１つからの入呼（inbound call）を受けたとき、ゲートウェイは、１つまたは複数の経路指定規則を適用し、入呼を接続すべき個々にアドレス可能な１つまたは複数の電話回線を決定する。識別された後で、ゲートウェイは、入呼を個々にアドレス可能な１つまたは複数の電話回線に接続し、個々にアドレス可能な電話回線に接続された電話が、移動電話から入ってくる呼のために使用されることを可能にする。移動電話を入呼の発信源として識別するのに役立つように、独特の呼出しオプションを選択することができる。
【００１１】
同様に、ゲートウェイが、ゲートウェイに接続された電話から、個々にアドレス可能な電話回線の１つを介して発呼（outbound call）を受けたとき、ゲートウェイは、発呼が経路指定されて経由すべき移動電話または通信回線を選択するために、１つまたは複数の経路指定規則を適用する。移動電話または通信回線を選択した後、ゲートウェイは、発呼を適切に接続する。
【００１２】
経路指定は、時間、コスト、入呼を受ける移動電話などのような、さまざまな要因に依存することができる。電話は、アナログ電話、ＩＳＤＮ（Integrated Services Digital Network）電話、デジタル電話、インターネットプロトコル電話などのいずれか、または組合せとすることができる。移動電話ネットワークと電話ネットワークの差違のために、ゲートウェイは、２つのネットワーク間の信号を変換する。この変換は、適切な呼出し電圧およびダイヤルトーンの生成、ならびに、コールウェイティング、メッセージ通知、発呼者ＩＤ（identification）、割込発呼者（caller waiting）ＩＤ、直接転送（ｃａｌｌ  ｆｏｒｗａｒｄｉｎｇ）、応答後転送（ｐｈｏｎｅ  ｆｏｒｗａｒｄｉｎｇ）、電話会議、無応答時転送（ｔｒａｎｓｆｅｒｒｉｎｇ  ｃａｌｌｓ）などのような、移動電話ネットワークで使用可能とすることができるが、電話ネットワークではまったく使用可能でない、または移動電話ネットワークの場合なら直接行われるはずの同じ相互作用で電話ネットワークでは使用可能でない機能を可能にする。
【００１３】
本発明の追加の特徴および利点は、以下の説明で述べられ、一部は、その説明から自明となり、あるいは本発明の実施によって学習することができる。本発明の特徴および利点は、添付の特許請求の範囲で特に指摘されている手段および組合せによって実現し、また得ることができる。本発明のこれら、および他の特徴は、以下の説明および添付の特許請求の範囲から、より完全に明らかとなり、あるいは、以下で述べる本発明を実施することで学ぶことができる。
【００１４】
本発明の上記の、および他の利点および特徴を得ることができる方法について述べるために、上記で簡単に述べた本発明について、添付の図面に示されているその特定の実施形態を参照することによって、より具体的に述べることにする。これらの図面は、本発明の典型的な実施形態を表すにすぎず、したがって、その範囲を制限するとみなすべきでないことを理解して、本発明について、添付の図面を使用することにより、追加の具体性および詳細と共に述べ、説明することにする。
【発明を実施するための最良の形態】
【００１５】
本発明は、移動電話ネットワークと別の電話ネットワークを橋渡しするための方法、システム、およびコンピュータプログラムに及ぶ。本発明の実施形態は、以下でより詳細に論じるように、さまざまなコンピュータハードウェアを含む１つまたは複数の専用コンピュータおよび／または１つもしくは複数の汎用コンピュータを含むことができる。
【００１６】
図１は、本発明を実施するための一例の環境を示し、ゲートウェイ１３０は、セルラネットワーク１２０と、電話１８０に接続された個々にアドレス可能な複数の電話回線１７０を有する電話ネットワークとの間でブリッジとして動作する。セルラネットワーク１２０は、たとえば、ＧＳＭ（Global System for Mobile Communications）ネットワーク、ＴＤＭＡ（Time Division Multiple Access）ネットワーク、またはＣＤＭＡ（Code Division Multiple Access）ネットワークを含む、どのタイプのセルラネットワークとすることもできる。ＧＳＭは、ヨーロッパおよび他のエリアで広く使用されているデジタル移動電話システムである。ＧＳＭは、これら３つの技術のうち最も広く使用されているものであり、ＴＤＭＡの変形形態である。ＴＤＭＡまたは時分割多元接続は、各セルラチャネルを３つのタイムスロットに分割する。ＣＤＭＡまたは符号分割多元接続は、スペクトル拡散技術を使用し、概してさまざまなプロトコルのいずれかを指す。ＴＤＭＡとＣＤＭＡは共にアメリカ合衆国内で一般的である。
【００１７】
ゲートウェイ１３０に関しては、セルラネットワーク１２０への接続は、接続１３２を介したセルラ電話１４０への接続と、セルラ電話１４０からセルラネットワーク１２０への無線接続とを含む。セルラ電話１４０は、移動電話の一種であることに留意されたい。本明細書では、「移動電話」という用語は、たとえば、家庭用基地局に直接接続するコードレス電話とは違って、第三者の無線サービスプロバイダと直接接続する無線電話を指す。したがって、「移動電話」は、セルラ電話、衛星電話などを含む。
【００１８】
セルラ電話１４０とゲートウェイ１３０との間の接続１３２は、シリアル接続、ＵＳＢ（Universal Serial Bus）接続、Ｂｌｕｅｔｏｏｔｈ接続、８０２．１１ｘ接続、または、他の有線接続および無線接続を含む何らかの他のタイプの接続を含むことができる。８０２．１１は、無線ローカルエリアネットワーク（ＬＡＮ）技術に関する一群の仕様である。具体的には、８０２．１１は、無線クライアントと基地局との間、または２つの無線クライアント間の無線インターフェースを規定する。同様に、Ｂｌｕｅｔｏｏｔｈは、移動電話、コンピュータ、携帯情報端末（ＰＤＡ：Personal Digital Assistants）のための短距離無線接続仕様を定義する。「接続」という用語は、情報の転送を可能にするどのタイプのリンクをも包含するように広く解釈すべきであることを、ここで指摘しておくのが適切である。
【００１９】
上記で示されているように、さまざまな電話１８０もまた、個々にアドレス可能な電話回線１７０を介してゲートウェイ１３０に接続される。たとえば、単一回線アナログＰＯＴＳ（Plain Old Telephone Service）電話１８０ａは、有線回線１７０ａを介してゲートウェイ１３０に接続され、多回線アナログＰＯＴＳ電話１８０ｂは、１つまたは複数の有線回線１７０ｂを介してゲートウェイ１３０に接続され、無線ＰＯＴＳ電話１８０ｃは、無線回線１７０ｃを介してゲートウェイ１３０に接続され、デジタル、８０２．１１、または他の電話１８０ｄは、回線１７０ｄを介してゲートウェイ１３０に接続され、シリアルＰＯＴＳ電話１８０ｅは、共通回線１７０ｅを介してゲートウェイ１３０に接続される。接続と同様に、「回線」という用語は、無線であろうと有線であろうと、データを転送可能な任意のリンクを包含するように広く解釈すべきである。一部の実施においては、たとえば、何らかの形態の周波数ベースまたは時間ベースとする多重化を使用して、単一回線を複数の電話用に多重化することができる。回線１７０ｅは、３つのシリアル（すなわちデイジーチェーン）電話がそこに接続されているが、１つの個々にアドレス可能な電話回線を表すことに留意されたい。
【００２０】
図１は、主にＰＯＴＳ電話を示す。ＰＯＴＳは、Ｐｌａｉｎ  Ｏｌｄ  Ｔｅｌｅｐｈｏｎｅ  Ｓｅｒｖｉｃｅの省略形であり、アメリカ合衆国内の大抵の家庭が使用する標準的な電話サービスを指す。ＰＯＴＳは、より広い帯域幅とより速い速度を提供するＩＳＤＮおよびＦＤＤＩなど、高速デジタル通信回線と対比されることがある。ＰＯＴＳは、しばしばＰＳＴＮ（Public Switched Telephone Networks）すなわち公衆電話交換網と置換可能に使用される。
【００２１】
当然ながら、電話１８０は、アナログ電話、デジタル電話、ＩＳＤＮ電話、無線電話、インターネットプロトコル電話、ＳＩＰ（Ｓｅｓｓｉｏｎ  Ｉｎｉｔｉａｔｉｏｎ  Ｐｒｏｔｏｃｏｌ）電話などを含む、何れの種類の電話とすることもできる。ＳＩＰ電話は、インスタントメッセージング（ＩＭ：instant messaging）、ショートメッセージサービス（ＳＭＳ：Short Message Service）、マルチメディアメッセージサービス（ＭＭＳ：Multimedia Messaging Service）など、さまざまなサービスを可能にする。
【００２２】
ＰＳＴＮ１１０は、保安器（ｄＭａｒｋ）１１２を介してゲートウェイ１３０に接続され、１つまたは複数の通信回線を含む。（ＰＳＴＮ１１０の多くの部分をデジタルにすることができるが、従来、家庭と中央または地方電話局（ＣＯ）との間の最終リンクはアナログである）。パーソナルコンピュータ１５０および他のコンピュータ１６０もまた、回線または接続１３２を介してゲートウェイ１３０に接続され、電話として、かつ／またはゲートウェイ１３０を設定するために使用することができる。
【００２３】
ゲートウェイ１３０の利点を理解するのに役立つように、以下の状況を考えてみる。父、母、息子を含む家族が、大抵の部屋に標準的なＰＯＴＳ電話を備える一つの住宅で暮らしている。家族の各々が自分のセルラ電話を持っているため、ＰＯＴＳ電話サービスを解約しようと決心した。ＰＯＴＳ電話サービスを解約する以前には、家族のメンバーは、帰宅したとき、翌日の使用に備えて、セルラ電話を充電器に置いていた。今では、人が家庭用電話ではなくセルラ電話にかけてくるため、これは不便である。この家族は、セルラ電話が充電器にあると電話を取り損なうことに気付いた。その理由は、充電器がしばしば家族のメンバーの少なくとも何人かから離れた別の部屋にあるからである。しかし、電話を手元に置くと、家族のメンバーは、時折、電話を充電器に置くのを忘れ、翌日のために十分充電できないことになった。
【００２４】
ゲートウェイ１３０を設置することにより、ＰＯＴＳ回線を再契約する必要なしに、この家族が経験した問題の多くが解決された（ただし、本発明のいくつかの実施形態では、１つまたは複数のＰＯＴＳ回線がゲートウェイから使用可能である）。家庭の保安器１１２内に差し込まれたスプリッタは、その家庭をＰＳＴＮ１１０から分離し、ゲートウェイがさまざまな電話回線（１７０ａ〜１７０ｅ）を個々にアドレスすることを可能にする（とりわけ、ゲートウェイ１３０が呼出し電圧を発生することになるため、分離が重要である）。設定のために、ゲートウェイ１３０をＰＣ１５０のＵＳＢポートに接続することができる。
【００２５】
（セルラ電話１４０のような）家族のセルラ電話は、接続１３２を介してゲートウェイに接続された充電器に接続される。充電器は、ゲートウェイ１３０内に組み込むことができること、別個としてゲートウェイ１３０に接続できること、などに留意されたい。設定が始まると、ＰＣ１５０は、３つのセルラ電話とそれらに対応する番号を示す（ＰＣ１５０の一例の実施形態について、図４に関連して以下でより詳しく述べる）。次いで、設定ソフトウェアは、電話回線１７０ａ〜１７０ｅのそれぞれを試すことにより、家庭内の使用可能な電話のそれぞれを発見する。各電話が鳴るので、説明的な名前を入力することにより、残りの設定プロセス全体にわたり電話をよりよく識別するのに役立つ。（説明的な名前はまた、各セルラ電話に与えることができる）。
【００２６】
より高度な設定オプションに続けて、それぞれのセルラ電話について、入呼を経路指定するためのさまざまな電話回線（および対応する電話）が選択される。たとえば、１つまたは複数の経路指定規則により、息子のセルラ電話への入呼を、キッチン、ＴＶのある部屋、息子の寝室だけに経路指定することができる。経路指定規則はまた、時間要素を含むことができる。たとえば、静かな時間を確保するために、深夜および早朝時間の間には、息子のセルラ電話に入ってくる呼を（音声メッセージングシステムを含む）留守番電話に経路指定することができる。これらの経路指定規則はまた、発呼を制限することができる。設定中に、全員のセルラ電話に対して独自の呼出し方法を割り当てることによって、入呼の発信源を識別するのに役立つようにすることができる。設定が完了すると、設定情報がＰＣ１５０からゲートウェイ１３０にダウンロードされ、その結果、ゲートウェイは、正しく機能するのにＰＣを必要としない。
【００２７】
ゲートウェイ１３０が設定された後のあるとき、父が帰宅し、セルラ電話を充電器内に置く。その後、父について経路指定規則によって決定されたように、家庭内で正しい電話が鳴る。電話は、父のセルラ電話が呼の発信源であることを示す呼出し音で鳴る。父は、家族がＰＯＴＳサービスを契約していたときと同様に、最も近いＰＯＴＳ電話で呼に応答する。通話中、父は妻を通話に参加させる。この場合も、家族がＰＯＴＳサービスを契約していたときのように、フラッシュフックし、妻の番号をダイヤルし、もう１度フラッシュフックして電話会議を接続する。これは、ゲートウェイがＰＯＴＳ電話ネットワーク信号をそのセルラの等価信号にマッピングするため可能である。
【００２８】
両親が通話している間に、息子が友人に電話しようと決める。息子は、電話を充電器に差し込み、電話をかけるために自室に行く。息子は、受話器を上げ、ＰＯＴＳ回線を契約していたときしたように電話をかける。以前は、家族がＰＯＴＳを１回線だけ契約していて、１人ずつ電話をかけることができただけであったが、ゲートウェイは、息子の呼を息子の部屋からセルラ電話に経路指定する。これは、ゲートウェイの経路指定規則が息子の部屋の電話を息子のセルラ電話に関連付けることによって可能となる。
【００２９】
図２は、本発明のゲートウェイ２００の例に関するいくつかの更なる詳細を示す。ゲートウェイ２００は、１つまたは複数の移動電話コネクタ／充電クレードル２１０、１つまたは複数の電話回線コネクタ２２０、１つまたは複数の通信回線コネクタ２３０、１つまたは複数のコンピュータネットワークコネクタ２４０を含む。これらのコネクタのそれぞれについて、ゲートウェイ２００を移動電話、電話回線、通信回線、および／またはコンピュータネットワークにリンクするのに適したどの構造をも包含するように広く解釈すべきであることに留意されたい。
【００３０】
ゲートウェイ２００内で、これらのコネクタのそれぞれは、１つまたは複数の回線インターフェース２５０に接続される。回線インターフェース２５０は、コネクタ内、プロセッサ２６０内に含まれるか、あるいは図２に示すように別個の構成要素とすることができる。１つまたは複数の記憶媒体２７０は、データ２７２、経路指定規則２７４、マッピング命令２７６、同期命令２７８などを記憶する（図４に関連して述べられているように、記憶媒体は、信頼性を高めるための固体素子を含む任意のさまざまな形態を取ることができることに留意されたい）。同期命令２７８は、データ２７２を、接続された移動電話に記憶されたさまざまなデータと同期させるためのものである。たとえば、データ２７２は、電話帳、通話記録などを含む可能性がある。プロセッサ２６０は、経路指定規則２７４、同期命令２７８、マッピング命令２７６、および他の命令を実行し、ゲートウェイの動作を指示する。
【００３１】
マッピング命令２７６は、移動電話ネットワーク信号を電話ネットワーク等価信号にマッピングするために使用され、逆もまた同様である。これにより、ゲートウェイ２００は、殆どのセルラ電話ネットワークによって提供される豊富な機能を電話ネットワークに透過的にすることを可能にする。これらの信号は、コールウェイティング信号、放棄呼（ａｂａｎｄｏｎｅｄ  ｃａｌｌ）信号、保留信号、メッセージ通知信号、発呼者ＩＤ信号、割込発呼者ＩＤ信号、直接転送（ｃａｌｌ  ｆｏｒｗａｒｄ）信号、応答後転送（ｐｈｏｎｅ  ｆｏｒｗａｒｄ）信号、電話会議信号、無応答時転送（ｔｒａｎｓｆｅｒ  ｃａｌｌ）信号、呼び出し信号（ｒｉｎｇｉｎｇ  ｖｏｌｔａｇｅ  ｓｉｇｎａｌｓ）、ダイヤルトーン信号、受信されたメッセージを示すための信号などを含むことができる。ゲートウェイ２００は、図４に関連して以下でより詳しく述べるさまざまな他のコンピュータハードウェア／ソフトウェアを含むことができる。
【００３２】
本発明について、機能的ステップおよび／または非機能的動作を含む方法の点から述べることもできる。以下は、本発明を実施する際に実行することができる動作およびステップの説明である。通常、機能的ステップは、得られる結果の点から本発明について述べ、一方、非機能的動作は、特定の結果を得るためのより具体的な動作について述べる。機能的ステップおよび非機能的動作は、特定の順序で述べられ、または特許請求される可能性があるが、本発明は、必ずしも動作および／またはステップのどの特定の順序または組合せにも限定されない。
【００３３】
具体的には、図３Ａ〜３Ｂは、本発明に従って呼を経路指定する方法の動作およびステップの例を示す。入呼について（図３Ａ）、ゲートウェイは、ＰＣなどから設定情報を受け取る動作（３１０Ａ）を実行することができる。この設定情報は、経路指定規則、呼出しオプション、他の規則などを含むことができる。ゲートウェイは、入呼を受ける（３２０Ａ）。入呼を経路指定するために、ゲートウェイに接続された個々にアドレス可能な電話回線の１つまたは複数の回線のどれを使用すべきか判定するステップ（３３０Ａ）は、１つまたは複数の経路指定規則を入呼に適用する動作（３３２Ａ）と、ゲートウェイの動作を制御する１つまたは複数の他の規則を適用するステップ（３３４Ａ）と、入呼の発信源である移動電話を識別するために１つまたは複数の使用可能な呼出しオプションの１つを選択すること（３３６Ａ）とを含むことができる。
【００３４】
１つまたは複数の移動電話ネットワーク信号を１つまたは複数の対応する電話ネットワーク信号にマッピングし、および１つまたは複数の電話ネットワーク信号を１つまたは複数の対応する移動電話ネットワーク信号にマッピングするステップ（３４０Ａ）は、１つまたは複数の移動電話ネットワーク信号と１つまたは複数の電話ネットワーク信号との間で変換を行う動作（３４２Ａ）を含むことができる。入呼を経路指定するために使用すべきであるとゲートウェイが決定した個々にアドレス可能な電話回線の１つまたは複数に入呼を経路指定するステップ（３５０Ａ）は、入呼を、経路指定規則によって識別された個々にアドレス可能な電話回線の１つまたは複数に接続する動作（３５２Ａ）を含むことができる。
【００３５】
発呼について（図３Ｂ）、ゲートウェイは、ＰＣから設定情報を受け取る動作（３１０Ｂ）を実行することができる。この動作を図３Ａ（３１０Ａ）と３Ｂ（３１０Ｂ）の両方で示すことは、必ずしも、入呼と発呼について別個の受取り動作を必要とするわけではない。この設定情報は、経路指定規則および他の規則を含むことができる。ゲートウェイは、発呼を受ける（３２０Ｂ）。発呼を送出するために１つまたは複数の移動電話および１つまたは複数の通信回線のどれを選択すべきか判定するステップ（３３０Ｂ）は、１つまたは複数の経路指定規則を発呼に適用する動作（３３２Ｂ）と、ゲートウェイの動作を制御する１つまたは複数の他の規則を適用する動作（３３４Ｂ）とを含むことができる。
【００３６】
１つまたは複数の移動電話ネットワーク信号を１つまたは複数の対応する電話ネットワーク信号にマッピングし、および１つまたは複数の電話ネットワーク信号を１つまたは複数の対応する移動電話ネットワーク信号にマッピングするステップ（３４０Ｂ）は、１つまたは複数の移動電話ネットワーク信号と１つまたは複数の電話ネットワーク信号との間で変換を行う動作（３４２Ｂ）を含むことができる。発呼を１つまたは複数の移動電話および１つまたは複数の通信回線の１つに経路指定するステップ（３５０Ｂ）は、発呼を、１つまたは複数の移動電話および１つまたは複数の通信回線の選択されたもののうち１つまたは複数に接続する動作（３５２Ｂ）を含むことができる。
【００３７】
本発明の範囲内の実施形態はまた、コンピュータ実行可能命令またはデータ構造を担持する、または含むコンピュータ可読媒体を含む。そのようなコンピュータ可読媒体は、汎用または専用コンピュータによってアクセスすることができる任意の使用可能な媒体とすることができる。限定ではなく例として、そのようなコンピュータ可読媒体は、ＲＡＭ（Random Access Memory）、ＲＯＭ（Read Only Memory）、ＥＥＰＲＯＭ（Electronically Erasable and Programmable ROM）、ＣＤ−ＲＯＭ（Compact Disk ROM）もしくは他の光ディスク記憶装置、磁気ディスク記憶装置もしくは他の磁気記憶デバイス、または、所望のプログラムコード手段をコンピュータ実行可能命令またはデータ構造の形態で担持し、または記憶するために使用することができる、あるいは汎用または専用コンピュータによってアクセスすることができる任意の他の媒体を含むことができる。
【００３８】
ネットワークまたは別の通信接続（有線、無線、または有線もしくは無線の組合せ）を介してコンピュータに情報が転送される、または供給されるとき、コンピュータは、当然ながらその接続をコンピュータ可読媒体として考える。したがって、当然ながら、そのようなどの接続もコンピュータ可読媒体と呼ばれる。上記の組合せもまた、コンピュータ可読媒体の範囲内に含むべきである。コンピュータ実行可能命令は、たとえば、汎用コンピュータ、専用コンピュータ、または専用処理デバイスに、ある種の機能または機能群を実行させる命令およびデータを含む。
【００３９】
図４および以下の記載は、本発明を実施することができる好適なコンピューティング環境を簡単に、一般的に述べるように意図されている。必須ではないが、本発明について、ネットワーク環境内でコンピュータによって実行される、プログラムモジュールなどコンピュータ実行可能命令の一般的な文脈で述べる。一般に、プログラムモジュールは、特定のタスクを実行する、あるいは特定の抽象データ型を実施するルーチン、プログラム、オブジェクト、コンポーネント、データ構造などを含む。コンピュータ実行可能命令、その関連データ構造、およびプログラムモジュールは、本明細書に開示されている方法のステップを実行するためのプログラムコード手段の例を表す。そのような実行可能命令またはその関連データ構造の特定のシーケンスは、そのようなステップに述べられている機能を実施するための対応する動作の例を表す。
【００４０】
当業者なら、パーソナルコンピュータ、ハンドヘルドデバイス、マルチプロセッサシステム、マイクロプロセッサをベースとする家電またはプログラム可能な家電、ネットワークＰＣ、ミニコンピュータ、メインフレームコンピュータなどを含む多くの種類のコンピュータシステム構成と共にネットワークコンピューティング環境内で本発明を実施することができることを理解するであろう。本発明はまた、通信ネットワークを介して、（有線リンク、無線リンクによって、または有線リンクもしくは無線リンクの組合せによって）リンクされたローカルおよびリモートの処理装置によってタスクが実行される分散コンピューティング環境内で実施することができる。分散コンピューティング環境では、プログラムモジュールは、ローカルとリモートの双方の記憶装置内に配置されることができる。
【００４１】
図４を参照すると、本発明を実施するための一例のシステムは、コンピュータ４２０の形態で汎用コンピューティングデバイスを含み、処理装置４２１、システムメモリ４２２、およびシステムメモリ４２２を含むさまざまなシステム構成要素を処理装置４２１に結合するシステムバス４２３を含む。システムバス４２３は、メモリバスまたはメモリコントローラ、周辺機器バス、およびさまざまなバスアーキテクチャのいずれかを使用するローカルバスを含むいくつかのタイプのバス構造のいずれかとすることができる。システムメモリは、読出し専用メモリ（ＲＯＭ）４２４およびランダムアクセスメモリ（ＲＡＭ）４２５を含む。起動中などにコンピュータ４２０内の構成要素間で情報を転送するのを助ける基本ルーチンを含む基本入出力システム（ＢＩＯＳ）４２６は、ＲＯＭ４２４内に記憶することができる。
【００４２】
図４には示されていないが、図４に示されているコンピュータがゲートウェイとして使用される場合に、図２に示されているさまざまなコネクタおよびインターフェースが存在する可能性がある。ゲートウェイの相対的な複雑さは、設定が外部コンピュータを介して行われるかどうか、またはゲートウェイが完全に独立しているかどうか、ならびに他の要因に左右されることに留意されたい。さらに、図４は、本発明によるゲートウェイ、またはそのゲートウェイを設定するために使用されるコンピュータの１つの可能な実施形態の一例を表すにすぎない。したがって、図４に関連して述べられている殆どのハードウェアおよびソフトウェアは任意選択であり、実施毎に異なる可能性がある。
【００４３】
コンピュータ４２０はまた、磁気ハードディスク４３９との間で読出しおよび書込みをする磁気ハードディスクドライブ４２７、取外し式磁気ディスク４２９との間で読出しまたは書込みをする磁気ディスクドライブ４２８、ＣＤ−ＲＯＭまたは他の光媒体など取外し式光ディスク４３１との間で読出しまたは書込みをする光ディスクドライブ４３０を含む。磁気ハードディスクドライブ４２７、磁気ディスクドライブ４２８、光ディスクドライブ４３０は、それぞれハードディスクドライブインターフェース４３２、磁気ディスクドライブインターフェース４３３、光ドライブインターフェース４３４によってシステムバス４２３に接続される。ドライブとそれに関連するコンピュータ可読媒体は、コンピュータ４２０のためのコンピュータ実行可能命令、データ構造、プログラムモジュール、および他のデータの不揮発性記憶を提供する。本明細書で述べられている例示的な環境は、磁気ハードディスク４３９、取外し式磁気ディスク４２９、取外し式光ディスク４３１を使用するが、磁気カセット、フラッシュメモリカード、デジタル多用途ディスク、ベルヌーイカートリッジ、ＲＡＭ、ＲＯＭなど、データを記憶するための他のタイプのコンピュータ可読媒体を使用することができる。
【００４４】
１つまたは複数のプログラムモジュールを備えるプログラムコード手段は、ハードディスク４３９、磁気ディスク４２９、光ディスク４３１、ＲＯＭ４２４、またはＲＡＭ４２５に記憶することができ、オペレーティングシステム４３５、１つまたは複数のアプリケーションプログラム４３６、他のプログラムモジュール４３７、プログラムデータ４３８を含む。ユーザは、キーボード４４０、ポインティングデバイス４４２、または、マイクロフォン、ジョイスティック、ゲームパッド、衛星パラボラアンテナ、スキャナなど他の入力デバイス（図示せず）を介してコンピュータ４２０にコマンドまたは情報を入力することができる。これら、および他の入力デバイスは、しばしばシステムバス４２３に結合されたシリアルポートインターフェース４４６を介して処理装置４２１に接続される。あるいはまた、入力デバイスは、パラレルポート、ゲームポート、またはユニバーサルシリアルバス（ＵＳＢ）など他のインターフェースによって接続することができる。モニタ４４７または別のディスプレイデバイスもまた、ビデオアダプタ４４８などのインターフェースを介してシステムバス４２３に接続される。当然ながら、ゲートウェイは、どの種類のディスプレイをも必要としないことも、比較的小型の液晶ディスプレイなど、ゲートウェイ自体に一体化されたディスプレイを含むこともある。モニタに加えて、コンピュータ４２０は、スピーカおよびプリンタなど、他の周辺出力デバイス（図示せず）を含むことができる。
【００４５】
コンピュータ４２０は、リモートコンピュータ４４９ａおよび４４９ｂなど、１つまたは複数のリモートコンピュータに対する論理接続を使用してネットワーク環境内で動作することができる。リモートコンピュータ４４９ａおよび４４９ｂはそれぞれ、パーソナルコンピュータ、サーバ、ルータ、ネットワークＰＣ、ピアデバイスまたは他の共通ネットワークノードとすることができ、図４には、メモリ記憶デバイス４５０ａおよび４５０ｂとその関連アプリケーションプログラム４３６ａおよび４３６ｂだけが示されているが、一般に、コンピュータ４２０に関して上述した要素の多数または全部を含む。図４に表された論理接続は、ここでは限定ではなく例として提示されているローカルエリアネットワーク（ＬＡＮ）４５１とワイドエリアネットワーク（ＷＡＮ）４５２を含む。そのようなネットワーク環境は、全事務所または全社コンピュータネットワーク、イントラネット、インターネットで普通である。
【００４６】
コンピュータ４２０は、ＬＡＮネットワーク環境内で使用されるとき、ネットワークインターフェースまたはアダプタ４５３を介してローカルネットワーク４５１に接続される。コンピュータ４２０は、ＷＡＮネットワーク環境内で使用されるとき、インターネットなどワイドエリアネットワーク４５２を介して通信を確立するためにモデム４５４、無線リンク、または他の手段を含む。モデム４５４は、内部にあっても外部にあってもよく、シリアルポートインターフェース４４６を介してシステムバス４２３に接続される。ネットワーク環境では、コンピュータ４２０に関して図示されたプログラムモジュール、またはその一部分を、遠隔メモリ記憶デバイス内に記憶することができる。図のネットワーク接続は例であり、ワイドエリアネットワーク４５２を介して通信を確立する他の手段を使用することができることは理解されよう。
【００４７】
本発明は、その趣旨および本質的な特徴から逸脱することなしに、他の特定の形態で実施することができる。述べられている実施形態は、すべての点において例示的なものにすぎず、制限を加えるものではないとみなすべきである。したがって、本発明の範囲は、前述の説明ではなく、添付の特許請求の範囲によって示される。特許請求の範囲の均等性の意味および範囲内に入る変更はすべて、その範囲内に包含すべきである。
【図面の簡単な説明】
【００４８】
【図１】本発明を実施するための一例の環境を示す図である。
【図２】本発明の一例の実施形態を示す図である。
【図３Ａ】本発明に従って呼を経路指定する方法のための動作およびステップを示す図である。
【図３Ｂ】本発明に従って呼を経路指定する方法のための動作およびステップを示す図である。
【図４】本発明に好適な実行環境を提供する一例のシステムを示す図である。
【符号の説明】
【００４９】
１１０  ＰＳＴＮ
１１２  ｄＭａｒｋ
１２０  セルラネットワーク
１３０  ゲートウェイ
１３２  接続
１４０  セルラ電話
１５０  パーソナルコンピュータ
１６０  他のコンピュータ
１７０  個々にアドレス可能な電話回線
１７０ａ、１７０ｂ  有線回線
１７０ｃ  無線回線
１７０ｄ  回線
１７０ｅ  共通回線
１８０  電話
１８０ａ  単一回線アナログＰＯＴＳ電話
１８０ｂ  多回線アナログＰＯＴＳ電話
１８０ｃ  無線ＰＯＴＳ電話
１８０ｄ  デジタル、８０２．１１、または他の電話
１８０ｅ  シリアルＰＯＴＳ電話
２００  ゲートウェイ
２１０  移動電話コネクタ／充電クレードル
２２０  電話回線コネクタ
２３０  通信回線コネクタ
２４０  コンピュータネットワークコネクタ
２５０  回線インターフェース
２６０  プロセッサ
２７０  記憶媒体
２７２  データ
２７４  経路指定規則
２７６  マッピング命令
２７８  同期命令
４２０  コンピュータ
４２１  処理装置
４２２  システムメモリ
４２３  システムバス
４２４  ＲＯＭ
４２５  ＲＡＭ
４２６  基本入出力システム（ＢＩＯＳ）
４２７  磁気ハードディスクドライブ
４２８  磁気ディスクドライブ
４２９  取外し式磁気ディスク
４３０  光ディスクドライブ
４３１  取外し式光ディスク
４３２  ハードディスクドライブインターフェース
４３３  磁気ディスクドライブインターフェース
４３４  光ドライブインターフェース
４３５  オペレーティングシステム
４３６、４３６ａ、４３６ｂ  アプリケーションプログラム
４３７  他のプログラムモジュール
４３８  プログラムデータ
４３９  磁気ハードディスク
４４０  キーボード
４４２  ポインティングデバイス
４４６  シリアルポートインターフェース
４４７  モニタ
４４８  ビデオアダプタ
４４９ａ、４４９ｂ  リモートコンピュータ
４５０ａ、４５０ｂ  記憶デバイス
４５１  ローカルエリアネットワーク（ＬＡＮ）
４５２  ワイドエリアネットワーク（ＷＡＮ）
４５３  ネットワークインターフェースまたはアダプタ
４５４  モデム
【図１】
2004248283.tif 000003
【図２】
2004248283.tif 000004
【図３Ａ】
2004248283.tif 000005
【図３Ｂ】
2004248283.tif 000006
【図４】
2004248283.tif 000007